(57)【要約】  ディスプレイ部３が押圧されるとクランパ１２も一緒に押圧され、ホルダ１７内の回転駆動部がクランパ１２の往復運動を回転運動に変換してクランパ１２を回転させる。クランパ１２の回転に伴って、係合凸部１２ａがディスプレイ部３の係合凹部６ａに係合したり外れたりして、ディスプレイ部３のロック状態とロック解除状態を切り替える。
2011089654.tif 000002
【特許請求の範囲】
【請求項１】
ディスプレイの開閉をロックするディスプレイロック装置において、
前記ディスプレイが押圧されると、前記ディスプレイに押圧されて往復するクランパと、
前記クランパの一端に連結して、前記クランパの往復運動を回転運動に変換して前記クランパを回転させる回転駆動部と、
前記クランパの側面に突設され、前記クランパの回転に伴って、前記ディスプレイに形成された係合凹部に係合したり外れたりする係合凸部とを備えるディスプレイロック装置。
【請求項２】
回転駆動部は、
鋸歯状の凹凸形状が周縁部に形成された、円筒状の第１ガイド部と、
鋸歯状の凹凸形状が周縁部に形成され、当該凹凸形状が前記第１ガイド部の凹凸形状と向かい合わせに設置される、円筒状の第２ガイド部と、
クランパと一体化したシャフトと、
前記シャフトの側面に突設され、前記第１ガイド部と前記第２ガイド部の間に位置して、前記クランパの往運動に伴って前記第１ガイド部に当接し、当該凹凸形状に沿って回転する第１ガイドアームと、
前記シャフトの側面に、前記第１ガイドアームと異なる方向かつ前記第２ガイド部寄りに突設され、前記クランパの復運動に伴って前記第２ガイド部に当接し、当該凹凸形状に沿って回転する第２ガイドアームとを有することを特徴とする請求項１記載のディスプレイロック装置。
【請求項３】
ディスプレイに押圧されて往運動したクランパを、付勢して復運動させる付勢手段を備えることを特徴とする請求項１記載のディスプレイロック装置。
【請求項４】
クランパのディスプレイに押圧される接触面を球面状にして、点接触させることを特徴とする請求項１記載のディスプレイロック装置。
【請求項５】
シャフトとクランパのいずれか一方に台座を設け、当該台座にスリットと嵌合穴を形成し、
前記シャフトと前記クランパのいずれか他方に小判型の嵌合部を設け、当該嵌合部をスライドさせながら前記スリットから前記嵌合穴へ挿入し、前記嵌合穴内で回転させて嵌合し、前記シャフトと前記クランパを一体化することを特徴とする請求項２記載のディスプレイロック装置。
【発明の詳細な説明】
【技術分野】
【０００１】
この発明は、ディスプレイの開閉をロックするディスプレイロック装置に関する。
【背景技術】
【０００２】
従来の天吊り式のディスプレイ装置は、天井面に固定されたハウジングにディスプレイ部を開閉自在に連結し、使用しない時はディスプレイ部をハウジング内に収納してロックしておき、使用する時はロックを解除して、ディスプレイ部をハウジングの下方へ開いて、画面を視聴者の方向へ向ける。【０００３】
ディスプレイ部をハウジング内に収納した状態でロックするために、ハウジングの下面にロック解除ボタンを配置し、ハウジング内にロック解除ボタンと連動するクランパを設け、ディスプレイ部の側面に設けた係合穴にクランパを係合させる。視聴者がロック解除ボタンを押すと、クランパがロック解除ボタンに連動して動いて係合穴から抜け、ディスプレイ部が開閉できるようになる。【０００４】
従来、ロック解除ボタンを設けてクランパを操作するディスプレイロック構造は多数提案されており、例えばロック解除ボタンがクランパの一端を押し上げると、連動して他端が下がって係合穴から抜ける構造や、ロック解除ボタンの垂直方向の動作をクランパの水平方向の動作に変換して、クランパをスライドさせて係合穴から抜く構造がある（例えば、特許文献１参照）。
【先行技術文献】
【特許文献】
【０００５】
【特許文献１】特開２００２−２４０６４２号公報
【発明の概要】
【０００６】
従来のディスプレイロック装置は以上のように構成されているので、ロック解除ボタンが必要となり、部品点数が多くなるという課題があった。また、ハウジング内にロック解除ボタンを配置するためのスペースが必要であった。
【０００７】
この発明は、上記のような課題を解決するためになされたもので、ディスプレイ部を直接押圧してロック状態とロック解除状態を切り替えるようにして、ロック解除ボタンとそれを配置するハウジングスペースを不要にすることを目的とする。
【０００８】
この発明のディスプレイロック装置は、ディスプレイが押圧されると、ディスプレイに押圧されて往復するクランパと、クランパの一端に連結して、クランパの往復運動を回転運動に変換してクランパを回転させる回転駆動部と、クランパの側面に突設され、クランパの回転に伴って、ディスプレイに形成された係合凹部に係合したり外れたりする係合凸部とを備えるものである。
【０００９】
この発明によれば、ディスプレイ部に押圧されて往復するクランパの往復運動を回転運動に変換して、クランパによるディスプレイ部のロック状態とロック解除状態を切り替えることにより、ロック解除ボタンとそれを配置するハウジングスペースを不要にすることができる。
【図面の簡単な説明】
【００１０】
【図１】この発明の実施の形態１に係るディスプレイロック装置を天吊り式のディスプレイ装置に適用した場合の構成を示す部分断面図であり、図１（ａ）はロック状態、図１（ｂ）はロック解除状態を示す。
【図２】実施の形態１に係るディスプレイロック装置の構成を示す外観斜視図であり、図２（ａ）はロック状態、図２（ｂ）はロック解除状態を示す。
【図３】実施の形態１に係るディスプレイロック装置の構成を示す分解斜視図である。
【図４】一体化したクランパとシャフトを示す外観斜視図である。
【図５】実施の形態１に係るディスプレイロック装置の、ロック状態を図５（ａ）に、クランパの往運動状態を図５（ｂ）に、ロック解除状態を図５（ｃ）に示す。
【図６】実施の形態１に係るディスプレイロック装置において、クランパの往運動状態を図６（ａ）に、復運動状態を図６（ｂ）に示す。
【図７】クランパとシャフトの一体化構造の外観斜視図を図７（ａ）に示し、ＡＡ線に沿って切断した断面図を図７（ｂ）に示す。
【図８】図７（ｂ）に示す一体化構造の平面図であり、図８（ａ）に一体化の手順を示し、図８（ｂ）に分解の手順を示す。
【図９】実施の形態１に示すクランパとシャフトの変形例を示す外観斜視図である。
【発明を実施するための形態】
【００１１】
以下、この発明をより詳細に説明するために、この発明を実施するための形態について、添付の図面に従って説明する。
実施の形態１．
図１（ａ）に示すように、天吊り式のディスプレイ装置は、天井面１に固定されたハウジング２とディスプレイ部３とが連結部４によって開閉自在に連結され、本発明に係るディスプレイロック装置１０のクランパ１２とディスプレイ部３のクランパ係合穴６とが係合することにより、ディスプレイ部３をハウジング２内に保持した状態にロックする。
【００１２】
図１及び図２に示すように、このクランパ１２の基端側には、クランパ１２の往復運動を回転運動に変換して回転させる回転駆動部が設置されている。なお、図１では回転駆動部を覆うホルダ１７を図示する。また、図２ではディスプレイ部３の図示を省略する。クランパ１２の先端の側面２箇所には係合凸部１２ａが突設され、クランパ１２の回転に伴って係合凹部６ａに係合したり外れたりする。
ディスプレイ部３が図１（ａ）に示す矢印の方向へ押されると、回転駆動部がこの往復運動を回転運動に変換することによりクランパ１２が９０度回転し、図１（ｂ）及び図２（ｂ）に示すように係合凸部１２ａと係合凹部６ａの係合が解かれてディスプレイ部３が開く。開いたディスプレイ部３をハウジング２の方向へ閉じる際にディスプレイ部３でクランパ１２を押すと、クランパ１２が再び９０度回転して係合凸部１２ａがクランパ係合穴６に係合し、図１（ａ）及び図２（ａ）の状態になってディスプレイ部３をクランプする。
【００１３】
図３に、ディスプレイロック装置１０の分解斜視図を示す。前述の回転駆動部は、ハウジング側ガイド部（第２ガイド部）１１、シャフト１３、ハウジング側ガイドアーム（第２ガイドアーム）１４、ホルダ側ガイドアーム（第１ガイドアーム）１５、バネ（付勢手段）１６、ホルダ１７及びホルダ側ガイド部（第１ガイド部）１８から構成され、ハウジング２の外面に固定される。ハウジング２にはクランパ１２を挿通するためのクランパ挿通穴５が形成されている。
【００１４】
ハウジング側ガイド部１１はハウジング２の外面に形成され、ハウジング側ガイド部１１の周縁に鋸歯状の凹凸部１１ａを設ける。また、ハウジング２の外面に取り付けるホルダ１７にはホルダ側ガイド部１８が形成され、その周縁にも鋸歯状の凹凸部１８ａを設ける。これら凹凸部１１ａ，１８ａは距離をとって向かい合わせに配置する。
【００１５】
図４に示すように、クランパ１２の嵌合部１２ｂをシャフト１３に形成した台座１３ａの嵌合穴１３ｂに嵌合して一体化する。クランパ１２とシャフト１３の一体化の詳細は後述する。
クランパ１２のハウジング２側の先端には、ディスプレイ部３をクランプする係合凸部１２ａが左右に２箇所設けられており、ハウジング２のクランパ挿通穴５を貫通してディスプレイ部３のクランパ係合穴６に挿入し、係合凹部６ａと係合する。また、先端面１２ｃを丸めて球面状にし、クランパ係合穴６の底面に点接触するようにして、クランパ１２が回転したときの摩擦を軽減させる。
【００１６】
図４及び図５に示すように、シャフト１３には、ハウジング側ガイド部１１の凹凸部１１ａに沿って摺動するハウジング側ガイドアーム１４と、ホルダ側ガイド部１８の凹凸部１８ａに沿って摺動するホルダ側ガイドアーム１５とを２段に、かつ、直交に突設する。図示例では、ホルダ側ガイドアーム１５をシャフト１３外周面のホルダ１７寄りの位置に突設し、ハウジング側ガイドアーム１４をホルダ側ガイドアーム１５よりハウジング２寄りの、台座１３ａの側面に突設する。また、シャフト１３のホルダ１７側基端には、クランパ１２ごとシャフト１３をハウジング２側へ付勢するバネ１６を取り付ける。
【００１７】
次に、図５及び図６を用いて、ディスプレイロック装置１０の動作を説明する。本実施の形態１では、上述のようにディスプレイロック装置１０のクランパ１２が９０度回転する毎にディスプレイ部３のロック状態とロック解除状態を切り替え可能とするため、図６に示すように、凹凸部１１ａと凹凸部１８ａの凹凸形状を９０度毎に繰り返して３６０度の凹凸を形成する。また、凹凸部１１ａと凹凸部１８ａの凹凸の位相もずらす。なお、図６では３６０度のうち０〜１８０度までを抜粋して図示している。
【００１８】
図５（ａ）に示すロック状態のとき、クランパ１２及びシャフト１３は、係合凸部１２ａに係合しているディスプレイ部３（不図示）の重量により下方向に引かれるため、ハウジング側ガイドアーム１４がハウジング側ガイド部１１の凹凸部１１ａに当接している。このとき、図６（ａ）ではハウジング側ガイドアーム１４が回転位置１４−１にあって凹凸部１１ａに当接しており、ホルダ側ガイドアーム１５は回転位置１５−１にある。
【００１９】
図５（ａ）に示す矢印の方向へディスプレイ部３が押圧されると、図５（ｂ）に示すようにクランパ１２がこのディスプレイ部３に押圧されて往運動する。このとき、図６（ａ）に示すように、ホルダ側ガイドアーム１５が回転位置１５−１から回転位置１５−２へ移動して凹凸部１８ａに当接し、そのまま凹凸形状に沿って回転位置１５−３まで摺動し、凹凸形状の立ち上り部分に突き当たって止まる。他方のハウジング側ガイドアーム１４も、ホルダ側ガイドアーム１５に従動して回転位置１４−２から回転位置１４−３へ移動する。さらにクランパ１２もホルダ側ガイドアーム１５に従動して回転する。
【００２０】
ディスプレイ部３への押圧がなくなると、図５（ｃ）に示すようにバネ１６の付勢力によりクランパ１２及びシャフト１３が下方向に付勢されて復運動する。このとき、図６（ｂ）に示すように、ハウジング側ガイドアーム１４が回転位置１４−３から回転位置１４−４へ移動して凹凸部１１ａに当接し、そのまま凹凸形状に沿って回転位置１４−５まで摺動し、凹凸形状の立ち上り部分に突き当たって止まる。他方のホルダ側ガイドアーム１５も、ハウジング側ガイドアーム１４に従動して回転位置１５−４から回転位置１５−５へ移動する。さらにクランパ１２もハウジング側ガイドアーム１４に従動して回転する。
【００２１】
このように、クランパ１２が上下方向に一往復すると、ハウジング側ガイドアーム１４とホルダ側ガイドアーム１５が９０度回転して往復運動を回転運動に変換するので、クランパ１２が９０度回転して係合凸部１２ａと係合凹部６ａの係合が解除されて、ロック解除状態になる。再度クランパ１２が一往復すると、それに伴い９０度回転して係合凸部１２ａと係合凹部６ａが係合し、ロック状態になる。
【００２２】
次に、クランパ１２とシャフト１３の一体化構造の詳細を説明する。図７（ａ）は、クランパ１２とシャフト１３の一体化構造の外観斜視図であり、図７（ｂ）はＡＡ線に沿って切断した断面図である。また、図８は、図７（ｂ）に示す一体化構造の平面図であり、図８（ａ）に一体化の手順を示し、図８（ｂ）に分解の手順を示す。
【００２３】
クランパ１２とシャフト１３を一体化するために、クランパ１２の基端側には小判型の嵌合部１２ｂを設け、他方のシャフト１３には台座１３ａを設けてスリット１３ｃと嵌合穴１３ｂとを形成する。クランパ１２とシャフト１３を一体化する際は、図８（ａ）に示すように、クランパ１２の嵌合部１２ｂをスライドさせながらスリット１３ｃから嵌合穴１３ｂへ挿入し、嵌合穴１３ｂ内で回転させて、切欠部１２ｄを弾性を有する係止爪１３ｄに係止する。嵌合穴１３ｂよりスリット１３ｃの幅が狭いので、嵌合部１２ｂがこれ以上回転して抜け出ることはない。
【００２４】
クランパ１２とシャフト１３を分解する際は、シャフト１３の治具挿入穴１３ｅから治具２０を挿入して係止爪１３ｄを押し広げ、係止爪１３ｄと切欠部１２ｄの係止を解除する。このように、クランパ１２とシャフト１３の一体化にネジを用いないため、組み立ても分解も容易である。また、クランパ１２とシャフト１３を別体で構成することにより、外部に露出するクランパ１２と外部に露出しないシャフト１３とで材質、形状、色等を変えて、意匠性を高めることができる。
さらに、係止爪１３ｄの、治具２０が押圧する面をテーパ形状１３ｆにしておくことにより、係止爪１３ｄと切欠部１２ｄの隙間に治具２０を差し込みやすくなり、より分解しやすい構造となる。
【００２５】
以上より、実施の形態１によれば、ディスプレイ部３の開閉をロックするディスプレイロック装置１０を、ディスプレイ部３が押圧されるとこのディスプレイ部３に押圧されて往復するクランパ１２と、ディスプレイ部３に押圧されて往運動したクランパを付勢して復運動させるバネ１６と、クランパ１２の一端に連結して往復運動を回転運動に変換してクランパ１２を回転させる回転駆動部と、クランパ１２の側面に突設され、このクランパ１２の回転に伴って、ディスプレイ部３に形成された係合凹部６ａに係合したり外れたりする係合凹部６ａとを備えるように構成した。このため、ディスプレイ部３を直接押圧してクランパ１２を回転させ、ロック状態とロック解除状態を切り替えることができる。よって、従来のディスプレイロック構造にあるようなロック解除ボタンを不要にでき、ハウジング２にロック解除ボタンを配するスペースも不要となる。
【００２６】
また、実施の形態１によれば、回転駆動部を、鋸歯状の凹凸部１８ａが周縁部に形成された、円筒状のホルダ側ガイド部１８と、鋸歯状の凹凸部１１ａが周縁部に形成され、この凹凸部１１ａがホルダ側ガイド部１８の凹凸部１８ａと向かい合わせに設置される、円筒状のハウジング側ガイド部１１と、クランパ１２と一体化したシャフト１３と、シャフト１３の側面に突設されハウジング側ガイド部１１とホルダ側ガイド部１８の間に位置して、クランパ１２の往運動に伴ってホルダ側ガイド部１８に当接し、凹凸部１８ａに沿って回転するホルダ側ガイドアーム１５と、シャフト１３の側面にホルダ側ガイドアーム１５と異なる方向かつハウジング側ガイド部１１寄りに突設され、クランパ１２の復運動に伴ってハウジング側ガイド部１１に当接し、凹凸部１１ａに沿って回転するハウジング側ガイドアーム１４とを有するように構成した。このため、クランパ１２の往復運動を回転運動に変換することができ、この結果、ディスプレイ部３のロック状態とロック解除状態を切り替え可能となる。
【００２７】
また、実施の形態１によれば、クランパ１２のディスプレイ部３に押圧される接触面を球面状の先端面１２ｃにして、点接触させるように構成したので、クランパ１２が回転する際の摩擦を軽減できる。
【００２８】
また、実施の形態１によれば、シャフト１３に台座１３ａを設け、この台座１３ａにスリット１３ｃと嵌合穴１３ｂを形成し、クランパ１２に小判型の嵌合部１２ｂを設け、この嵌合部１２ｂをスライドさせながらスリット１３ｃから嵌合穴１３ｂへ挿入し、嵌合穴１３ｂ内で回転させて嵌合し、シャフト１３とクランパ１２を一体化するように構成した。このため、ネジを用いずに、クランパ１２とシャフト１３を容易に組み付けることができ、かつ、容易に分解することができる。また、クランパ１２とシャフト１３を別体でそれぞれ形成するため、意匠性を高めることができる。
【００２９】
なお、上記実施の形態１では、重力方向にディスプレイ部を開く天吊り式のディスプレイ装置にディスプレイロック装置１０を適用する構成を例に説明したが、これに限定されるものではなく、重力方向に逆らってディスプレイ部を開く構成のディスプレイ装置に適用してもよい。
【００３０】
また、上記実施の形態１では、左右２箇所に係合凸部１２ａを設けたが、少なくとも１箇所の係合凸部１２ａを設ければ足りる。
【００３１】
また、上記実施の形態１では、クランパ１２に嵌合部１２ｂを設け、シャフト１３に台座１３ａを設けて連結する構成を示したが、逆に、クランパ１２に台座を設けて、シャフト１３に嵌合部を設けて連結してもよい。あるいは、図９に示すように、クランパ１２とシャフト１３を予め一体に形成してもよい。図９の構成では、台座１３ａを省略してクランパ１２とシャフト１３を一部品として形成し、さらにシャフト１３の台座１３ａに相当する位置にホルダ側ガイドアーム１５を突設する。
なお、ハウジング側ガイドアーム１４とホルダ側ガイドアーム１５を直交させたが、交差させる角度はこれに限定されるものではなく、ハウジング側ガイド部１１とホルダ側ガイド部１８の各凹凸部１１ａ，１８ａの凹凸形状に合わせて適宜設計すればよい。
【産業上の利用可能性】
【００３２】
以上のように、この発明に係るディスプレイロック装置は、ロック解除ボタンを用いず、ディスプレイ部を直接押圧してクランパを動作させ、ロック状態とロック解除状態を切り替えるようにしたので、省スペースな車載用の天吊り式ディスプレイ装置等に用いるのに適している。
【図１】
2011089654.tif 000003
【図２】
2011089654.tif 000004
【図３】
2011089654.tif 000005
【図４】
2011089654.tif 000006
【図５】
2011089654.tif 000007
【図６】
2011089654.tif 000008
【図７】
2011089654.tif 000009
【図８】
2011089654.tif 000010
【図９】
2011089654.tif 000011
【手続補正書】
【提出日】平成23年12月27日(2011.12.27)
【手続補正１】
【補正対象書類名】明細書
【補正対象項目名】全文
【補正方法】変更
【補正の内容】
【発明の詳細な説明】
【技術分野】
【０００１】
この発明は、ディスプレイの開閉をロックするディスプレイロック装置に関する。
【背景技術】
【０００２】
従来の天吊り式のディスプレイ装置は、天井面に固定されたハウジングにディスプレイ部を開閉自在に連結し、使用しない時はディスプレイ部をハウジング内に収納してロックしておき、使用する時はロックを解除して、ディスプレイ部をハウジングの下方へ開いて、画面を視聴者の方向へ向ける。
【０００３】
ディスプレイ部をハウジング内に収納した状態でロックするために、ハウジングの下面にロック解除ボタンを配置し、ハウジング内にロック解除ボタンと連動するクランパを設け、ディスプレイ部の側面に設けた係合穴にクランパを係合させる。視聴者がロック解除ボタンを押すと、クランパがロック解除ボタンに連動して動いて係合穴から抜け、ディスプレイ部が開閉できるようになる。
【０００４】
従来、ロック解除ボタンを設けてクランパを操作するディスプレイロック構造は多数提案されており、例えばロック解除ボタンがクランパの一端を押し上げると、連動して他端が下がって係合穴から抜ける構造や、ロック解除ボタンの垂直方向の動作をクランパの水平方向の動作に変換して、クランパをスライドさせて係合穴から抜く構造がある（例えば、特許文献１参照）。
【先行技術文献】
【特許文献】
【０００５】
【特許文献１】特開２００２−２４０６４２号公報
【発明の概要】
【発明が解決しようとする課題】
【０００６】
従来のディスプレイロック装置は以上のように構成されているので、ロック解除ボタンが必要となり、部品点数が多くなるという課題があった。また、ハウジング内にロック解除ボタンを配置するためのスペースが必要であった。
【０００７】
この発明は、上記のような課題を解決するためになされたもので、ディスプレイ部を直接押圧してロック状態とロック解除状態を切り替えるようにして、ロック解除ボタンとそれを配置するハウジングスペースを不要にすることを目的とする。
【課題を解決するための手段】
【０００８】
この発明のディスプレイロック装置は、ディスプレイが押圧されると、ディスプレイに押圧されて往復するクランパと、クランパの一端に連結して、クランパの往復運動を回転運動に変換してクランパを回転させる回転駆動部と、クランパの側面に突設され、クランパの回転に伴って、ディスプレイに形成された係合凹部に係合したり外れたりする係合凸部とを備え、回転駆動部は、鋸歯状の凹凸形状が周縁部に形成された、円筒状の第１ガイド部と、鋸歯状の凹凸形状が周縁部に形成され、当該凹凸形状が前記第１ガイド部の凹凸形状と向かい合わせに設置される、円筒状の第２ガイド部と、クランパと一体化したシャフトと、シャフトの側面に突設され、第１ガイド部と第２ガイド部の間に位置して、クランパの往運動に伴って第１ガイド部に当接し、当該凹凸形状に沿って回転する第１ガイドアームと、シャフトの側面に、第１ガイドアームと異なる方向かつ第２ガイド部寄りに突設され、クランパの復運動に伴って第２ガイド部に当接し、当該凹凸形状に沿って回転する第２ガイドアームとを有することを特徴とするものである。
【発明の効果】
【０００９】
この発明によれば、ディスプレイ部に押圧されて往復するクランパの往復運動を回転運動に変換して、クランパによるディスプレイ部のロック状態とロック解除状態を切り替えることにより、ロック解除ボタンとそれを配置するハウジングスペースを不要にすることができる。
【図面の簡単な説明】
【００１０】
【図１】この発明の実施の形態１に係るディスプレイロック装置を天吊り式のディスプレイ装置に適用した場合の構成を示す部分断面図であり、図１（ａ）はロック状態、図１（ｂ）はロック解除状態を示す。
【図２】実施の形態１に係るディスプレイロック装置の構成を示す外観斜視図であり、図２（ａ）はロック状態、図２（ｂ）はロック解除状態を示す。
【図３】実施の形態１に係るディスプレイロック装置の構成を示す分解斜視図である。
【図４】一体化したクランパとシャフトを示す外観斜視図である。
【図５】実施の形態１に係るディスプレイロック装置の、ロック状態を図５（ａ）に、クランパの往運動状態を図５（ｂ）に、ロック解除状態を図５（ｃ）に示す。
【図６】実施の形態１に係るディスプレイロック装置において、クランパの往運動状態を図６（ａ）に、復運動状態を図６（ｂ）に示す。
【図７】クランパとシャフトの一体化構造の外観斜視図を図７（ａ）に示し、ＡＡ線に沿って切断した断面図を図７（ｂ）に示す。
【図８】図７（ｂ）に示す一体化構造の平面図であり、図８（ａ）に一体化の手順を示し、図８（ｂ）に分解の手順を示す。
【図９】実施の形態１に示すクランパとシャフトの変形例を示す外観斜視図である。
【発明を実施するための形態】
【００１１】
以下、この発明をより詳細に説明するために、この発明を実施するための形態について、添付の図面に従って説明する。
実施の形態１．
図１（ａ）に示すように、天吊り式のディスプレイ装置は、天井面１に固定されたハウジング２とディスプレイ部３とが連結部４によって開閉自在に連結され、本発明に係るディスプレイロック装置１０のクランパ１２とディスプレイ部３のクランパ係合穴６とが係合することにより、ディスプレイ部３をハウジング２内に保持した状態にロックする。
【００１２】
図１及び図２に示すように、このクランパ１２の基端側には、クランパ１２の往復運動を回転運動に変換して回転させる回転駆動部が設置されている。なお、図１では回転駆動部を覆うホルダ１７を図示する。また、図２ではディスプレイ部３の図示を省略する。クランパ１２の先端の側面２箇所には係合凸部１２ａが突設され、クランパ１２の回転に伴って係合凹部６ａに係合したり外れたりする。
ディスプレイ部３が図１（ａ）に示す矢印の方向へ押されると、回転駆動部がこの往復運動を回転運動に変換することによりクランパ１２が９０度回転し、図１（ｂ）及び図２（ｂ）に示すように係合凸部１２ａと係合凹部６ａの係合が解かれてディスプレイ部３が開く。開いたディスプレイ部３をハウジング２の方向へ閉じる際にディスプレイ部３でクランパ１２を押すと、クランパ１２が再び９０度回転して係合凸部１２ａがクランパ係合穴６に係合し、図１（ａ）及び図２（ａ）の状態になってディスプレイ部３をクランプする。
【００１３】
図３に、ディスプレイロック装置１０の分解斜視図を示す。前述の回転駆動部は、ハウジング側ガイド部（第２ガイド部）１１、シャフト１３、ハウジング側ガイドアーム（第２ガイドアーム）１４、ホルダ側ガイドアーム（第１ガイドアーム）１５、バネ（付勢手段）１６、ホルダ１７及びホルダ側ガイド部（第１ガイド部）１８から構成され、ハウジング２の外面に固定される。ハウジング２にはクランパ１２を挿通するためのクランパ挿通穴５が形成されている。
【００１４】
ハウジング側ガイド部１１はハウジング２の外面に形成され、ハウジング側ガイド部１１の周縁に鋸歯状の凹凸部１１ａを設ける。また、ハウジング２の外面に取り付けるホルダ１７にはホルダ側ガイド部１８が形成され、その周縁にも鋸歯状の凹凸部１８ａを設ける。これら凹凸部１１ａ，１８ａは距離をとって向かい合わせに配置する。
【００１５】
図４に示すように、クランパ１２の嵌合部１２ｂをシャフト１３に形成した台座１３ａの嵌合穴１３ｂに嵌合して一体化する。クランパ１２とシャフト１３の一体化の詳細は後述する。
クランパ１２のハウジング２側の先端には、ディスプレイ部３をクランプする係合凸部１２ａが左右に２箇所設けられており、ハウジング２のクランパ挿通穴５を貫通してディスプレイ部３のクランパ係合穴６に挿入し、係合凹部６ａと係合する。また、先端面１２ｃを丸めて球面状にし、クランパ係合穴６の底面に点接触するようにして、クランパ１２が回転したときの摩擦を軽減させる。
【００１６】
図４及び図５に示すように、シャフト１３には、ハウジング側ガイド部１１の凹凸部１１ａに沿って摺動するハウジング側ガイドアーム１４と、ホルダ側ガイド部１８の凹凸部１８ａに沿って摺動するホルダ側ガイドアーム１５とを２段に、かつ、直交に突設する。図示例では、ホルダ側ガイドアーム１５をシャフト１３外周面のホルダ１７寄りの位置に突設し、ハウジング側ガイドアーム１４をホルダ側ガイドアーム１５よりハウジング２寄りの、台座１３ａの側面に突設する。また、シャフト１３のホルダ１７側基端には、クランパ１２ごとシャフト１３をハウジング２側へ付勢するバネ１６を取り付ける。
【００１７】
次に、図５及び図６を用いて、ディスプレイロック装置１０の動作を説明する。本実施の形態１では、上述のようにディスプレイロック装置１０のクランパ１２が９０度回転する毎にディスプレイ部３のロック状態とロック解除状態を切り替え可能とするため、図６に示すように、凹凸部１１ａと凹凸部１８ａの凹凸形状を９０度毎に繰り返して３６０度の凹凸を形成する。また、凹凸部１１ａと凹凸部１８ａの凹凸の位相もずらす。なお、図６では３６０度のうち０〜１８０度までを抜粋して図示している。
【００１８】
図５（ａ）に示すロック状態のとき、クランパ１２及びシャフト１３は、係合凸部１２ａに係合しているディスプレイ部３（不図示）の重量により下方向に引かれるため、ハウジング側ガイドアーム１４がハウジング側ガイド部１１の凹凸部１１ａに当接している。このとき、図６（ａ）ではハウジング側ガイドアーム１４が回転位置１４−１にあって凹凸部１１ａに当接しており、ホルダ側ガイドアーム１５は回転位置１５−１にある。
【００１９】
図５（ａ）に示す矢印の方向へディスプレイ部３が押圧されると、図５（ｂ）に示すようにクランパ１２がこのディスプレイ部３に押圧されて往運動する。このとき、図６（ａ）に示すように、ホルダ側ガイドアーム１５が回転位置１５−１から回転位置１５−２へ移動して凹凸部１８ａに当接し、そのまま凹凸形状に沿って回転位置１５−３まで摺動し、凹凸形状の立ち上り部分に突き当たって止まる。他方のハウジング側ガイドアーム１４も、ホルダ側ガイドアーム１５に従動して回転位置１４−２から回転位置１４−３へ移動する。さらにクランパ１２もホルダ側ガイドアーム１５に従動して回転する。
【００２０】
ディスプレイ部３への押圧がなくなると、図５（ｃ）に示すようにバネ１６の付勢力によりクランパ１２及びシャフト１３が下方向に付勢されて復運動する。このとき、図６（ｂ）に示すように、ハウジング側ガイドアーム１４が回転位置１４−３から回転位置１４−４へ移動して凹凸部１１ａに当接し、そのまま凹凸形状に沿って回転位置１４−５まで摺動し、凹凸形状の立ち上り部分に突き当たって止まる。他方のホルダ側ガイドアーム１５も、ハウジング側ガイドアーム１４に従動して回転位置１５−４から回転位置１５−５へ移動する。さらにクランパ１２もハウジング側ガイドアーム１４に従動して回転する。
【００２１】
このように、クランパ１２が上下方向に一往復すると、ハウジング側ガイドアーム１４とホルダ側ガイドアーム１５が９０度回転して往復運動を回転運動に変換するので、クランパ１２が９０度回転して係合凸部１２ａと係合凹部６ａの係合が解除されて、ロック解除状態になる。再度クランパ１２が一往復すると、それに伴い９０度回転して係合凸部１２ａと係合凹部６ａが係合し、ロック状態になる。
【００２２】
次に、クランパ１２とシャフト１３の一体化構造の詳細を説明する。図７（ａ）は、クランパ１２とシャフト１３の一体化構造の外観斜視図であり、図７（ｂ）はＡＡ線に沿って切断した断面図である。また、図８は、図７（ｂ）に示す一体化構造の平面図であり、図８（ａ）に一体化の手順を示し、図８（ｂ）に分解の手順を示す。
【００２３】
クランパ１２とシャフト１３を一体化するために、クランパ１２の基端側には小判型の嵌合部１２ｂを設け、他方のシャフト１３には台座１３ａを設けてスリット１３ｃと嵌合穴１３ｂとを形成する。クランパ１２とシャフト１３を一体化する際は、図８（ａ）に示すように、クランパ１２の嵌合部１２ｂをスライドさせながらスリット１３ｃから嵌合穴１３ｂへ挿入し、嵌合穴１３ｂ内で回転させて、切欠部１２ｄを弾性を有する係止爪１３ｄに係止する。嵌合穴１３ｂよりスリット１３ｃの幅が狭いので、嵌合部１２ｂがこれ以上回転して抜け出ることはない。
【００２４】
クランパ１２とシャフト１３を分解する際は、シャフト１３の治具挿入穴１３ｅから治具２０を挿入して係止爪１３ｄを押し広げ、係止爪１３ｄと切欠部１２ｄの係止を解除する。このように、クランパ１２とシャフト１３の一体化にネジを用いないため、組み立ても分解も容易である。また、クランパ１２とシャフト１３を別体で構成することにより、外部に露出するクランパ１２と外部に露出しないシャフト１３とで材質、形状、色等を変えて、意匠性を高めることができる。
さらに、係止爪１３ｄの、治具２０が押圧する面をテーパ形状１３ｆにしておくことにより、係止爪１３ｄと切欠部１２ｄの隙間に治具２０を差し込みやすくなり、より分解しやすい構造となる。
【００２５】
以上より、実施の形態１によれば、ディスプレイ部３の開閉をロックするディスプレイロック装置１０を、ディスプレイ部３が押圧されるとこのディスプレイ部３に押圧されて往復するクランパ１２と、ディスプレイ部３に押圧されて往運動したクランパを付勢して復運動させるバネ１６と、クランパ１２の一端に連結して往復運動を回転運動に変換してクランパ１２を回転させる回転駆動部と、クランパ１２の側面に突設され、このクランパ１２の回転に伴って、ディスプレイ部３に形成された係合凹部６ａに係合したり外れたりする係合凹部６ａとを備えるように構成した。このため、ディスプレイ部３を直接押圧してクランパ１２を回転させ、ロック状態とロック解除状態を切り替えることができる。よって、従来のディスプレイロック構造にあるようなロック解除ボタンを不要にでき、ハウジング２にロック解除ボタンを配するスペースも不要となる。
【００２６】
また、実施の形態１によれば、回転駆動部を、鋸歯状の凹凸部１８ａが周縁部に形成された、円筒状のホルダ側ガイド部１８と、鋸歯状の凹凸部１１ａが周縁部に形成され、この凹凸部１１ａがホルダ側ガイド部１８の凹凸部１８ａと向かい合わせに設置される、円筒状のハウジング側ガイド部１１と、クランパ１２と一体化したシャフト１３と、シャフト１３の側面に突設されハウジング側ガイド部１１とホルダ側ガイド部１８の間に位置して、クランパ１２の往運動に伴ってホルダ側ガイド部１８に当接し、凹凸部１８ａに沿って回転するホルダ側ガイドアーム１５と、シャフト１３の側面にホルダ側ガイドアーム１５と異なる方向かつハウジング側ガイド部１１寄りに突設され、クランパ１２の復運動に伴ってハウジング側ガイド部１１に当接し、凹凸部１１ａに沿って回転するハウジング側ガイドアーム１４とを有するように構成した。このため、クランパ１２の往復運動を回転運動に変換することができ、この結果、ディスプレイ部３のロック状態とロック解除状態を切り替え可能となる。
【００２７】
また、実施の形態１によれば、クランパ１２のディスプレイ部３に押圧される接触面を球面状の先端面１２ｃにして、点接触させるように構成したので、クランパ１２が回転する際の摩擦を軽減できる。
【００２８】
また、実施の形態１によれば、シャフト１３に台座１３ａを設け、この台座１３ａにスリット１３ｃと嵌合穴１３ｂを形成し、クランパ１２に小判型の嵌合部１２ｂを設け、この嵌合部１２ｂをスライドさせながらスリット１３ｃから嵌合穴１３ｂへ挿入し、嵌合穴１３ｂ内で回転させて嵌合し、シャフト１３とクランパ１２を一体化するように構成した。このため、ネジを用いずに、クランパ１２とシャフト１３を容易に組み付けることができ、かつ、容易に分解することができる。また、クランパ１２とシャフト１３を別体でそれぞれ形成するため、意匠性を高めることができる。
【００２９】
なお、上記実施の形態１では、重力方向にディスプレイ部を開く天吊り式のディスプレイ装置にディスプレイロック装置１０を適用する構成を例に説明したが、これに限定されるものではなく、重力方向に逆らってディスプレイ部を開く構成のディスプレイ装置に適用してもよい。
【００３０】
また、上記実施の形態１では、左右２箇所に係合凸部１２ａを設けたが、少なくとも１箇所の係合凸部１２ａを設ければ足りる。
【００３１】
また、上記実施の形態１では、クランパ１２に嵌合部１２ｂを設け、シャフト１３に台座１３ａを設けて連結する構成を示したが、逆に、クランパ１２に台座を設けて、シャフト１３に嵌合部を設けて連結してもよい。あるいは、図９に示すように、クランパ１２とシャフト１３を予め一体に形成してもよい。図９の構成では、台座１３ａを省略してクランパ１２とシャフト１３を一部品として形成し、さらにシャフト１３の台座１３ａに相当する位置にホルダ側ガイドアーム１５を突設する。
なお、ハウジング側ガイドアーム１４とホルダ側ガイドアーム１５を直交させたが、交差させる角度はこれに限定されるものではなく、ハウジング側ガイド部１１とホルダ側ガイド部１８の各凹凸部１１ａ，１８ａの凹凸形状に合わせて適宜設計すればよい。
【手続補正２】
【補正対象書類名】特許請求の範囲
【補正対象項目名】全文
【補正方法】変更
【補正の内容】
【特許請求の範囲】
【請求項１】
ディスプレイの開閉をロックするディスプレイロック装置において、
前記ディスプレイが押圧されると、前記ディスプレイに押圧されて往復するクランパと、
前記クランパの一端に連結して、前記クランパの往復運動を回転運動に変換して前記クランパを回転させる回転駆動部と、
前記クランパの側面に突設され、前記クランパの回転に伴って、前記ディスプレイに形成された係合凹部に係合したり外れたりする係合凸部とを備え、
前記回転駆動部は、
鋸歯状の凹凸形状が周縁部に形成された、円筒状の第１ガイド部と、
鋸歯状の凹凸形状が周縁部に形成され、当該凹凸形状が前記第１ガイド部の凹凸形状と向かい合わせに設置される、円筒状の第２ガイド部と、
前記クランパと一体化したシャフトと、
前記シャフトの側面に突設され、前記第１ガイド部と前記第２ガイド部の間に位置して、前記クランパの往運動に伴って前記第１ガイド部に当接し、当該凹凸形状に沿って回転する第１ガイドアームと、
前記シャフトの側面に、前記第１ガイドアームと異なる方向かつ前記第２ガイド部寄りに突設され、前記クランパの復運動に伴って前記第２ガイド部に当接し、当該凹凸形状に沿って回転する第２ガイドアームとを有することを特徴とするディスプレイロック装置。
【請求項２】
シャフトとクランパのいずれか一方に台座を設け、当該台座にスリットと嵌合穴を形成し、
前記シャフトと前記クランパのいずれか他方に小判型の嵌合部を設け、当該嵌合部をスライドさせながら前記スリットから前記嵌合穴へ挿入し、前記嵌合穴内で回転させて嵌合し、前記シャフトと前記クランパを一体化することを特徴とする請求項１記載のディスプレイロック装置。
【国際調査報告】
2011089654.tif 000012
2011089654.tif 000013
2011089654.tif 000014
2011089654.tif 000015